【手続補正書】
【提出日】平成22年3月25日(2010.3.25)
【手続補正１】
【補正対象書類名】特許請求の範囲
【補正対象項目名】全文
【補正方法】変更
【補正の内容】
【特許請求の範囲】
【請求項１】
軸芯体と、該軸芯体の外周に設けられた弾性層と、表面層とを有する現像ローラであって、
該表面層は、架橋したポリウレタン樹脂を含み、かつ、示差走査熱量分析（ＤＳＣ）において、３５℃から８０℃の範囲に吸熱ピークが観察され、かつ、その吸熱エネルギーが０．１ｋＪ／ｋｇ以上３．０ｋＪ／ｋｇ以下であって、
該架橋したポリウレタン樹脂は、ポリウレタンポリオールとイソシアネート化合物とを重合して得られたものであり、
該ポリウレタンポリオールは、２官能のポリエステルポリオールと２官能のイソシアネート化合物とを重合して鎖延長させてなる、重量平均分子量Ｍｗが５００００以上２０００００以下であり、かつ、分子量分散度Ｍｗ／Ｍｎが１．１以上２．０以下である
ことを特徴とする現像ローラ。
【請求項２】
前記２官能のポリエステルポリオールがポリブチレンアジペートグリコールであることを特徴とする請求項１に記載の現像ローラ。
【請求項３】
前記２官能のイソシアネートが４，４’−ジフェニルメタンジイソシアネートであることを特徴とする請求項１または２に記載の現像ローラ。
【請求項４】
請求項１に記載の現像ローラの製造方法であって、
２官能のポリエステルポリオールと２官能のイソシアネート化合物を鎖延長させてなる、Ｍｗが５００００以上２０００００以下で、Ｍｗ／Ｍｎが１．１以上２．０以下であるポリウレタンポリオールと、イソシアネート化合物とを含む塗料を弾性層の表面に塗布し、重合させて表面層を形成する
ことを特徴とする現像ローラの製造方法。
【請求項５】
前記２官能のポリエステルポリオールが、ポリブチレンアジペートグリコールであることを特徴とする請求項４に記載の現像ローラの製造方法。
【請求項６】
前記２官能のイソシアネートが、４，４’−ジフェニルメタンジイソシアネートであることを特徴とする請求項４または５に記載の現像ローラの製造方法。
【請求項７】
前記ポリウレタンポリオールと反応させるイソシアネート化合物が、トリメチロールプロパン変性トリレンジイソシアネートであることを特徴とする請求項４乃至６のいずれか１項に記載の現像ローラの製造方法。
【請求項８】
感光体と、該感光体と接触配置された現像ローラとが一体となっているプロセスカートリッジであって、該現像ローラが、請求項１乃至３のいずれか１項に記載の現像ローラであることを特徴とするプロセスカートリッジ。
【請求項９】
感光体と、該感光体と接触配置された現像ローラとを有し、該現像ローラが、請求項１乃至３のいずれか１項に記載の現像ローラであることを特徴とする画像形成装置。
【手続補正２】
【補正対象書類名】明細書
【補正対象項目名】０００８
【補正方法】変更
【補正の内容】
【０００８】
（１）軸芯体と、該軸芯体の外周に設けられた弾性層と、表面層とを有する現像ローラであって、
該表面層は、架橋したポリウレタン樹脂を含み、かつ、示差走査熱量分析（ＤＳＣ）において、３５℃から８０℃の範囲に吸熱ピークが観察され、かつ、その吸熱エネルギーが０．１ｋＪ／ｋｇ以上３．０ｋＪ／ｋｇ以下であって、
該架橋したポリウレタン樹脂は、ポリウレタンポリオールとイソシアネート化合物とを重合して得られたものであり、
該ポリウレタンポリオールは、２官能のポリエステルポリオールと２官能のイソシアネート化合物とを重合して鎖延長させてなる、重量平均分子量Ｍｗが５００００以上２０００００以下であり、かつ、分子量分散度Ｍｗ／Ｍｎが１．１以上２．０以下である
ことを特徴とする現像ローラ。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
（２）前記２官能のポリエステルポリオールが、ポリブチレンアジペートグリコールであることを特徴とする上記（１）の現像ローラ。
【手続補正７】
【補正対象書類名】明細書
【補正対象項目名】００１３
【補正方法】変更
【補正の内容】
【００１３】
（３）前記２官能のイソシアネートが、４，４’−ジフェニルメタンジイソシアネートであることを特徴とする上記（１）または（２）の現像ローラ。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
（４）上記（１）に記載の現像ローラの製造方法であって、
２官能のポリエステルポリオールと２官能のイソシアネート化合物を鎖延長させてなる、Ｍｗが５００００以上２０００００以下で、Ｍｗ／Ｍｎが１．１以上２．０以下であるポリウレタンポリオールと、イソシアネート化合物とを含む塗料を弾性層の表面に塗布し、重合させて表面層を形成する
ことを特徴とする現像ローラの製造方法。
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】変更
【補正の内容】
【００１９】
（５）前記２官能のポリエステルポリオールが、ポリブチレンアジペートグリコールであることを特徴とする上記（４）の現像ローラの製造方法。
【手続補正１４】
【補正対象書類名】明細書
【補正対象項目名】００２０
【補正方法】変更
【補正の内容】
【００２０】
（６）前記２官能のイソシアネートが、４，４’−ジフェニルメタンジイソシアネートであることを特徴とする上記（４）または（５）の現像ローラの製造方法。
【手続補正１５】
【補正対象書類名】明細書
【補正対象項目名】００２１
【補正方法】変更
【補正の内容】
【００２１】
（７）前記ポリウレタンポリオールと反応させるイソシアネート化合物が、トリメチロールプロパン変性トリレンジイソシアネートであることを特徴とする上記（４）乃至（６）のいずれかの現像ローラの製造方法。
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】変更
【補正の内容】
【００２３】
（８）感光体と、該感光体と接触配置された現像ローラとが一体となっているプロセスカートリッジであって、該現像ローラが、上記（１）乃至（３）のいずれかの現像ローラであることを特徴とするプロセスカートリッジ。
【手続補正１８】
【補正対象書類名】明細書
【補正対象項目名】００２４
【補正方法】変更
【補正の内容】
【００２４】
（９）感光体と、該感光体と接触配置された現像ローラとを有し、該現像ローラが、上記（１）乃至（３）のいずれかの現像ローラであることを特徴とする画像形成装置。